(57)【要約】【課題】ダイレクトオンモードにおいて、商用電源が一時的に停電して復帰した場合に、無駄な電力を消費することがないプロジェクタを提供する。【解決手段】プロジェクタ１は、光源（光源ランプ１１）と、光源から射出された光を変調して画像を形成する光変調装置（液晶ライトバルブ１２）と、光変調装置で形成された画像を投写する投写光学系（投写レンズ１３）と、商用電源が供給されたときに光源を点灯するダイレクトオンモードと、商用電源が供給されたときに光源を点灯しない通常モードと、を切り替え可能なモード切替部と、光源を点灯させるためのオン操作、および、光源を消灯させるためのオフ操作を受け付ける電源操作部（操作パネル２１、リモコン２２）と、モード切替部によってダイレクトオンモードに切り替えられている場合に、電源操作部がオフ操作を受け付けると、光源の消灯を禁止する制御部２０と、を備える。【選択図】図１
2010128254.tif 000002
【特許請求の範囲】
【請求項１】
光源と、
前記光源から射出された光を変調して画像を形成する光変調装置と、
前記光変調装置で形成された画像を投写する投写光学系と、
商用電源が供給されたときに前記光源を点灯するダイレクトオンモードと、前記商用電源が供給されたときに前記光源を点灯しない通常モードと、を切り替え可能なモード切替部と、
前記光源を点灯させるためのオン操作、および、前記光源を消灯させるためのオフ操作を受け付ける電源操作部と、
前記モード切替部によって前記ダイレクトオンモードに切り替えられている場合に、前記電源操作部が前記オフ操作を受け付けると、前記光源の消灯を禁止する制御部と、
を備えることを特徴とするプロジェクタ。
【請求項２】
請求項１に記載のプロジェクタであって、
前記制御部が前記光源の消灯を禁止した際に、消灯禁止の旨を報知する報知部をさらに備えることを特徴とするプロジェクタ。
【請求項３】
請求項２に記載のプロジェクタであって、
前記報知部は、前記投写光学系から投写される前記画像によって前記消灯禁止の旨を報知することを特徴とするプロジェクタ。
【請求項４】
請求項２または３に記載のプロジェクタであって、
前記報知部は、音声を出力する音声出力装置を有して構成され、
前記音声出力装置が出力する音声によって、前記消灯禁止の旨を報知することを特徴とするプロジェクタ。
【請求項５】
光源と、前記光源から射出された光を変調して画像を形成する光変調装置と、前記光変調装置で形成された画像を投写する投写光学系とを備えるプロジェクタの制御方法であって、
商用電源が供給されたときに前記光源を点灯するダイレクトオンモードと、前記商用電源が供給されたときに前記光源を点灯しない通常モードと、を切り替え可能なモード切替工程と、
前記光源を点灯させるためのオン操作、および、前記光源を消灯させるためのオフ操作を受け付ける電源操作工程と、
前記モード切替工程によって前記ダイレクトオンモードに切り替えられている場合に、前記電源操作工程によって前記オフ操作を受け付けると、前記光源の消灯を禁止する消灯禁止工程と、
を備えることを特徴とするプロジェクタの制御方法。
【発明の詳細な説明】
【技術分野】
【０００１】
本発明は、プロジェクタおよびその制御方法に関する。
【背景技術】
【０００２】
従来、プロジェクタにおいては、商用電源が供給されたときに、光源ランプを点灯して当該プロジェクタを起動状態にするモード（以降、「ダイレクトオンモード」と呼ぶ）に切り替え可能なものがある。このようなプロジェクタによれば、ダイレクトオンモードに切り替えられていれば、商用電源を供給するだけで起動されるため、電源キーによる電源オン操作が不要となり、例えばプロジェクタを天吊り状態で使用する場合などに有効である。しかし、ダイレクトオンモードに切り替えられた状態のままで、ユーザが電源キーによって電源オフした場合、商用電源が一時的に停電して復帰すると、プロジェクタは起動して光源ランプが点灯する。このような場合、ユーザが電源オフするか、商用電源を切断するまでは、プロジェクタは起動状態のままとなり、無駄な電力を消費してしまう。
【０００３】
特許文献１には、ダイレクトオンモードによってプロジェクタが起動された場合、画像信号の入力が無い状態が所定時間（例えば５分程度）継続したときに、光源ランプを消灯するプロジェクタ（画像表示装置）が開示されている。
【０００４】
【特許文献１】特開２００７−７２３２２号公報
【発明の開示】
【発明が解決しようとする課題】
【０００５】
しかしながら、例えばビデオチューナー等に接続されており、プロジェクタに常に画像信号が入力されている場合には、商用電源が一時的に停電して復帰しても、画像信号の入力が無い状態にはならない。このため、特許文献１のプロジェクタにおいても、所定時間後に光源ランプを消灯することはできず、無駄な電力を消費してしまうという問題があった。従って、ダイレクトオンモードにおいて、商用電源が一時的に停電して復帰した場合でも、無駄な電力を消費することがないプロジェクタが求められていた。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクタは、光源と、前記光源から射出された光を変調して画像を形成する光変調装置と、前記光変調装置で形成された画像を投写する投写光学系と、商用電源が供給されたときに前記光源を点灯するダイレクトオンモードと、前記商用電源が供給されたときに前記光源を点灯しない通常モードと、を切り替え可能なモード切替部と、前記光源を点灯させるためのオン操作、および、前記光源を消灯させるためのオフ操作を受け付ける電源操作部と、前記モード切替部によって前記ダイレクトオンモードに切り替えられている場合に、前記電源操作部が前記オフ操作を受け付けると、前記光源の消灯を禁止する制御部と、を備えることを特徴とする。
【０００８】
このようなプロジェクタによれば、モード切替部によってダイレクトオンモードに切り替えられていると、商用電源が供給されたときに光源を点灯する。そして、制御部は、ダイレクトオンモードに切り替えられている場合に、電源操作部がオフ操作を受け付けると、光源の消灯を禁止する。つまり、プロジェクタは、ダイレクトオンモードに切り替えられて光源が点灯している状態で、オフ操作が行われても光源を消灯しない。これにより、ダイレクトオンモードに切り替えられている場合に、ユーザがプロジェクタの光源を消灯するためには、ユーザ自身がプロジェクタへ供給される商用電源を切断することが必要となる。ユーザがプロジェクタへ供給される商用電源を切断しておくことにより、商用電源が一時的に停電して復帰した場合においても、プロジェクタの光源は点灯することがなくなる。よって、プロジェクタは、無駄な電力の消費を防止することができる。
【０００９】
［適用例２］上記適用例に係るプロジェクタにおいて、前記制御部が前記光源の消灯を禁止した際に、消灯禁止の旨を報知する報知部をさらに備えることを特徴とする。
【００１０】
このようなプロジェクタによれば、報知部は、制御部が光源の消灯を禁止した際に、消灯禁止の旨を報知する。つまり、プロジェクタは、ダイレクトオンモードに切り替えられて光源が点灯している状態で、オフ操作が行われた際には、光源を消灯せず、消灯禁止の旨を報知する。これにより、オフ操作を行っても光源を消灯できないことにより、ユーザが当惑してしまう事態を回避することができる。
【００１１】
［適用例３］上記適用例に係るプロジェクタにおいて、前記報知部は、前記投写光学系から投写される前記画像によって前記消灯禁止の旨を報知することを特徴とする。
【００１２】
このようなプロジェクタによれば、報知部は、投写される画像によって消灯禁止の旨を報知する。これにより、ユーザは、画像によって光源が消灯禁止であることを認識することが可能となる。
【００１３】
［適用例４］上記適用例に係るプロジェクタにおいて、前記報知部は、音声を出力する音声出力装置を有して構成され、前記音声出力装置が出力する音声によって、前記消灯禁止の旨を報知することを特徴とする。
【００１４】
このようなプロジェクタによれば、報知部は音声出力装置を有して構成され、音声出力装置の音声によって消灯禁止の旨を報知する。これにより、ユーザは、音声によって光源が消灯禁止であることを認識することが可能となる。
【００１５】
［適用例５］本適用例に係るプロジェクタの制御方法は、光源と、前記光源から射出された光を変調して画像を形成する光変調装置と、前記光変調装置で形成された画像を投写する投写光学系とを備えるプロジェクタの制御方法であって、商用電源が供給されたときに前記光源を点灯するダイレクトオンモードと、前記商用電源が供給されたときに前記光源を点灯しない通常モードと、を切り替え可能なモード切替工程と、前記光源を点灯させるためのオン操作、および、前記光源を消灯させるためのオフ操作を受け付ける電源操作工程と、前記モード切替工程によって前記ダイレクトオンモードに切り替えられている場合に、前記電源操作工程によって前記オフ操作を受け付けると、前記光源の消灯を禁止する消灯禁止工程と、を備えることを特徴とする。
【００１６】
このようなプロジェクタの制御方法によれば、ダイレクトオンモードに切り替えられて光源が点灯している場合に、オフ操作が行われても光源を消灯しない。これにより、ダイレクトオンモードに切り替えられている場合に、ユーザがプロジェクタの光源を消灯するためには、ユーザ自身がプロジェクタへ供給される商用電源を切断することが必要となる。ユーザがプロジェクタへ供給される商用電源を切断しておくことにより、商用電源が一時的に停電して復帰した場合でも、プロジェクタの光源は点灯することがなくなる。よって、プロジェクタは、無駄な電力の消費を防止することができる。
【００１７】
また、上述したプロジェクタおよびその制御方法がプロジェクタに備えられたコンピュータを用いて構築されている場合には、上記形態および上記適用例は、その機能を実現するためのプログラム、あるいは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００１８】
以下、実施形態について説明する。
【００１９】
（実施形態）
図１は、本実施形態に係るプロジェクタの概略構成を示すブロック図である。図１を使用して、プロジェクタ１の内部構成について説明する。
【００２０】
プロジェクタ１は、画像投写部１０、制御部２０、操作パネル２１、リモコン２２、操作信号受信部２３、光源制御部２４、モード設定部２５、ブザー駆動部２６、ブザー２７、電源端子２８、電源回路２９、入力端子群３０、入力選択部３１、画像処理部３２、ＯＳＤ処理部３３等を備えている。
【００２１】
画像投写部１０は、超高圧水銀ランプやメタルハライドランプ等の放電型光源やＬＥＤ（Light Emitting Diode）等の固体光源からなる光源としての光源ランプ１１と、光変調装置としての液晶ライトバルブ１２と、投写光学系としての投写レンズ１３と、液晶ライトバルブ１２を駆動するライトバルブ駆動部１４とを備えている。
【００２２】
液晶ライトバルブ１２は、一対の透明基板間に液晶が封入された透過型液晶パネル等によって構成される。ライトバルブ駆動部１４の駆動によって、液晶ライトバルブ１２の各画素に画像信号に応じた駆動電圧が印加されると、各画素は、画像信号に応じた光透過率で光源光を透過させる。
【００２３】
光源ランプ１１から射出された光は、この液晶ライトバルブ１２を透過することによって変調され、変調後の光が投写レンズ１３によって投写されることにより、スクリーンＳＣ等に画像信号に応じた画像が表示される。
【００２４】
制御部２０は、ＣＰＵ（Central Processing Unit）、各種データの一時記憶等に用いられるＲＡＭ（Random Access Memory）、および、マスクＲＯＭ（Read Only Memory）やフラッシュメモリ、ＦｅＲＡＭ（Ferroelectric RAM：強誘電体メモリ）等の不揮発性のメモリ等（いずれも図示せず）を備え、コンピュータとして機能するものである。制御部２０は、ＣＰＵが不揮発性のメモリに記憶されている制御プログラムに従って動作することにより、プロジェクタ１の動作を統括制御する。
【００２５】
操作パネル２１及びリモコン２２は、プロジェクタ１に対して各種指示を行うための入力操作部に相当するものであり、ユーザからの入力操作を受け付ける複数の操作キーを備えている。操作パネル２１及びリモコン２２が備える操作キーとしては、電源操作部のオン操作としての電源オン操作、およびオフ操作としての電源オフ操作を受け付ける「電源キー」、入力端子を切り替えるための「入力切替キー」、各種設定を行うための設定メニュー画面を重畳表示させる「メニューキー」、メニュー画面におけるカーソルの移動等に用いられる「カーソルキー」、各種設定を決定するための「決定キー」等がある。ユーザが操作パネル２１の各種操作キーを操作すると、操作パネル２１は、ユーザの操作内容に応じた操作信号を制御部２０に出力する。また、ユーザがリモコン２２の各種操作キーを操作すると、リモコン２２は、ユーザの操作内容に応じた赤外線等の操作信号を発し、操作信号受信部２３がこれを受信して制御部２０に伝達する。
【００２６】
光源制御部２４は、制御部２０の指示に基づいて、光源ランプ１１に対する電力の供給と停止とを制御し、光源ランプ１１の点灯および消灯を切り替える。
【００２７】
モード設定部２５は、不揮発性のメモリからなり、ダイレクトオンモードの設定情報を記憶する。ここで、ダイレクトオンモード設定情報とは、ダイレクトオンモードまたは通常モードのどちらに切り替えられているかについての情報を示す。即ち、ダイレクトオンモードの設定が有効となっているか否かについての情報を示す。ダイレクトオンモード設定情報は、制御部２０によって書き込みおよび読み出しが行われる。本実施形態では、ユーザが操作パネル２１あるいはリモコン２２に備わる各種キーを操作することで、制御部２０を介して、ダイレクトオンモード設定情報を設定可能としている。例えば、プロジェクタ１にソフトウェアとして実装する設定メニューに、「ダイレクトオンモード設定」項目を設け、ユーザが操作パネル２１あるいはリモコン２２に備わるメニューキー、カーソルキー、および決定キー等を操作することによって、ダイレクトオンモード設定情報を設定できるものとしてもよい。このときの制御部２０およびモード設定部２５が、モード切替部に相当する。
【００２８】
ブザー駆動部２６は、制御部２０の指示に基づいて、ブザー音を出力するようにブザー２７を駆動する。なお、本実施形態では、ブザー駆動部２６およびブザー２７が、報知部が有する音声出力装置に相当し、ブザー音が音声に相当する。
【００２９】
電源回路２９には、ＡＣ１００Ｖ等の商用電源が電源端子２８を介して外部から供給される。電源回路２９は、商用電源を所定の電圧の直流電源に変換して、プロジェクタ１の各部に電力を供給する。また、電源回路２９は、制御部２０の指示に基づいて、光源ランプ１１を点灯して画像を投写する起動状態に必要なメイン電力と、メイン電力の供給を停止して、電源オン操作を待ち受ける待機状態に必要なスタンバイ電力とを切り替えて供給することができる。
【００３０】
入力端子群３０は、ビデオ再生装置やパーソナルコンピュータ等、図示しない外部の画像出力装置から、各種形式の画像信号を入力可能な複数の入力端子３０ａを備えている。各入力端子３０ａに入力された画像信号は、入力選択部３１に供給される。
【００３１】
入力選択部３１は、複数の入力端子３０ａのうち、制御部２０の指示に基づく１つの入力端子３０ａを選択し、この入力端子３０ａに入力される画像信号を画像処理部３２に出力する。ユーザが、操作パネル２１あるいはリモコン２２に備わる入力切替キーを操作して所望の入力端子３０ａを指定すると、制御部２０は、この入力端子３０ａに入力されている画像信号が画像処理部３２に出力されるよう、入力選択部３１に指示をする。
【００３２】
画像処理部３２は、入力選択部３１から入力される画像信号を、液晶ライトバルブ１２の各画素の階調を表す画像データ、即ち各画素に印加する駆動電圧を規定するための画像データに変換する。そして、制御部２０の指示に基づいて、変換した画像データに対して、明るさ、コントラスト、シャープネス、色合い等を調整するための処理等を行う。画像処理部３２で画質調整等がなされた画像データは、ＯＳＤ処理部３３に出力される。
【００３３】
ＯＳＤ処理部３３は、制御部２０の指示に基づいて、メニュー画面やメッセージ画面等のＯＳＤ（オンスクリーンディスプレイ）画像を、画像処理部３２から入力される画像データに重畳する処理を行う。ＯＳＤ処理部３３は、図示しないＯＳＤメモリを備えており、ＯＳＤ画像を形成するための図形やフォント等を表すＯＳＤ画像データを記憶している。制御部２０が、ＯＳＤ画像の重畳を指示すると、ＯＳＤ処理部３３は、必要なＯＳＤ画像データをＯＳＤメモリから読み出し、入力画像の所定の位置にＯＳＤ画像が重畳されるように、画像処理部３２から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部３３は、画像処理部３２から出力される画像データを、そのままライトバルブ駆動部１４に出力する。
【００３４】
ライトバルブ駆動部１４が、ＯＳＤ処理部３３から入力される画像データに従って液晶ライトバルブ１２を駆動すると、液晶ライトバルブ１２は、画像データに応じた画像を形成し、この画像が投写レンズ１３から投写される。
【００３５】
次に、電源端子２８に電源ケーブル（図示せず）が接続され、電源回路２９に商用電源が供給されたときに、プロジェクタ１が行う商用電源供給時の処理について、フローチャートを用いて説明する。図２は、プロジェクタ１の商用電源供給時の処理のフローチャートである。
【００３６】
プロジェクタ１に商用電源が供給されると、電源回路２９によりスタンバイ電力が供給され、制御部２０は、モード設定部２５からダイレクトオンモード設定情報を読み出す（ステップＳ１０１）。そして、制御部２０は、読み出したダイレクトオンモード設定情報により、ダイレクトオンモードが有効か否かを判断する（ステップＳ１０２）。ダイレクトオンモードが有効であった場合（ステップＳ１０２：ＹＥＳ）、制御部２０は、初期処理を行う（ステップＳ１０３）。本実施形態では、初期処理は、電源回路２９によりメイン電力が供給され、ＣＰＵの初期化やＲＡＭ等のメモリの初期化を行う。また、その他のソフトウェアやハードウェアの初期化等も行われる。
【００３７】
次に、制御部２０は、光源制御部２４に指示を出して、光源ランプ１１を点灯させる（ステップＳ１０４）。次に、制御部２０は、プロジェクタ１を起動状態に遷移させる（ステップＳ１０５）。そして、商用電源供給時の処理を終了する。なお、起動状態では、入力端子３０ａに入力されている画像信号に基づいた画像が画像投写部１０から投写される。
【００３８】
ダイレクトオンモードが無効であった場合（ステップＳ１０２：ＮＯ）、制御部２０は、プロジェクタ１を待機状態に遷移させる（ステップＳ１０６）。そして、商用電源供給時の処理を終了する。なお、待機状態では、光源ランプ１１は消灯しており、電源キーによる電源オン操作を待ち受ける。
【００３９】
上述したように、本実施形態のプロジェクタ１は、商用電源が供給されると、ダイレクトオンモードが有効であれば起動状態に遷移し、ダイレクトオンモードが無効であれば待機状態に遷移する。
【００４０】
次に、プロジェクタ１の起動状態において、電源オフ操作が行われた際の電源オフ操作処理について説明する。図３は、プロジェクタ１の電源オフ操作処理のフローチャートである。
【００４１】
起動状態において、操作パネル２１あるいはリモコン２２に備わる電源キーが押下され、電源オフ操作されると、制御部２０は、モード設定部２５からダイレクトオンモード設定情報を読み出す（ステップＳ２０１）。そして、制御部２０は、読み出したダイレクトオンモード設定情報により、ダイレクトオンモードが有効か否かを判断する（ステップＳ２０２）。
【００４２】
ダイレクトオンモードが有効であった場合（ステップＳ２０２：ＹＥＳ）、制御部２０は、ＯＳＤ処理部３３に指示を出して、電源オフ操作禁止のメッセージ画面を表示させる（ステップＳ２０３）。さらに、制御部２０は、ブザー駆動部２６に指示を出して、電源オフ操作禁止の報知としてブザー２７を鳴動させる（ステップＳ２０４）。なお、ブザーの鳴動時間は、例えば１秒程度とする。このときの制御部２０、ＯＳＤ処理部３３、ブザー駆動部２６、およびブザー２７が消灯禁止の旨を報知する報知部に相当する。そして、電源オフ操作処理を終了する。
【００４３】
ダイレクトオンモードが無効であった場合（ステップＳ２０２：ＮＯ）、制御部２０は、光源制御部２４に指示を出して、光源ランプ１１を消灯させる（ステップＳ２０５）。次に、制御部２０は、電源オフ処理を行う（ステップＳ２０６）。本実施形態では、電源オフ処理は、プロジェクタ１の電源オフに伴って行われる処理を示し、電源オフに対応したソフトウェアやハードウェアの処理等を含む。そして、制御部２０は、プロジェクタ１を待機状態に遷移させる（ステップＳ２０７）。そして、プロジェクタ１の電源オフ操作処理を終了する。
【００４４】
ここで、ＯＳＤ処理部３３が表示する電源オフ操作禁止のメッセージ画面について説明する。図４は、電源オフ操作禁止のメッセージ画面の図である。図４に示すように、電源オフ操作禁止のメッセージ画面Ｇ１においては、画面中央部に、「ダイレクトオンモードが有効となっているため、電源キーによる電源オフ操作は禁止されています。電源をオフする場合は、電源ケーブルを外してください。」と表示する。なお、電源オフ操作禁止のメッセージ画面Ｇ１は、例えば１０秒間表示するものとする。
【００４５】
上述したように、本実施形態のプロジェクタ１は、電源オフ操作が行われると、ダイレクトオンモードが有効であれば電源オフ操作禁止の旨を報知し、ダイレクトオンモードが無効であれば待機状態に遷移する。
【００４６】
次に、プロジェクタ１の状態遷移について説明する。図５は、プロジェクタ１の状態遷移図である。
【００４７】
図５に示すように、プロジェクタ１は、電源切断状態ＳＴ１０、待機状態ＳＴ１１、および起動状態ＳＴ１２の状態に遷移可能となっている。
【００４８】
電源切断状態ＳＴ１０は、商用電源が切断されている状態である。電源切断状態ＳＴ１０において、商用電源が供給されると、図２のフローチャートで説明した商用電源供給時の処理が実行され、プロジェクタ１は、待機状態ＳＴ１１、または起動状態ＳＴ１２に遷移する。
【００４９】
待機状態ＳＴ１１は、商用電源が供給されているが、電源オン操作がなされていない状態である。待機状態ＳＴ１１では、電源回路２９によりスタンバイ電力が供給され、制御部２０は、操作パネル２１およびリモコン２２が備える電源キーに対する電源オン操作を監視する。電源オン操作がなされると、プロジェクタ１は、起動状態ＳＴ１２に遷移する。また、待機状態ＳＴ１１で、商用電源が切断されると、プロジェクタ１は、電源切断状態ＳＴ１０に遷移する。
【００５０】
起動状態ＳＴ１２は、電源回路２９によりメイン電力が供給されて、光源ランプ１１が点灯している電源オン状態であり、入力された画像信号に基づいて画像を投写している状態である。起動状態ＳＴ１２では、電源オフ操作がなされると、図３のフローチャートで説明した電源オフ操作処理が実行され、ダイレクトオンモード設定情報に従って待機状態ＳＴ１１に遷移するか、起動状態ＳＴ１２のまま状態遷移をしない。また、商用電源が切断されると、プロジェクタ１は、電源切断状態ＳＴ１０に遷移する。
【００５１】
上述した実施形態によれば、以下の効果が得られる。
（１）プロジェクタ１は、ダイレクトオンモードを有効とする設定がされていると、商用電源が供給されたときに光源ランプ１１を点灯して、起動状態ＳＴ１２に遷移する。そして、プロジェクタ１は、起動状態ＳＴ１２において、ダイレクトオンモードが有効となっている場合には、電源オフ操作が行われても、光源ランプ１１の消灯および電源オフ処理を行わず、待機状態ＳＴ１１に状態遷移しない。これにより、ダイレクトオンモードが有効な場合に、ユーザが光源ランプ１１を消灯してプロジェクタ１の使用を終了するためには、電源切断状態ＳＴ１０に遷移させる必要がある。例えば、ユーザは、電源端子２８から電源ケーブルを外したり、商用電源の供給スイッチをオフしたりして、プロジェクタ１へ供給される商用電源を切断することが必要となる。ユーザがプロジェクタ１へ供給される商用電源を切断しておけば、商用電源が一時的に停電して復帰した場合においても、プロジェクタ１の光源ランプ１１は点灯することがなくなる。よって、プロジェクタ１は、無駄な電力の消費を防止することができる。また、光源ランプ１１が点灯してしまうことによる劣化を防ぐことができる。
【００５２】
（２）プロジェクタ１は、ダイレクトオンモードが有効となっている場合に、起動状態ＳＴ１２において、電源オフ操作が行われると、電源オフ操作禁止のメッセージ画面Ｇ１を投写表示する。これにより、電源オフ操作が禁止であることをユーザに報知することが可能となり、電源オフ操作を行っても電源オフできないことにより、ユーザが当惑してしまう事態を回避することができる。
【００５３】
（３）プロジェクタ１は、ダイレクトオンモードが有効となっている場合に、起動状態ＳＴ１２において、電源オフ操作が行われると、電源オフ操作禁止の報知としてブザー２７を鳴動する。これにより、電源オフ操作が禁止であることをユーザに報知することが可能となり、電源オフ操作を行っても電源オフできないことにより、ユーザが当惑してしまう事態を回避することができる。
【００５４】
なお、上述した実施形態に限定されず、種々の変更や改良等を加えて実施することが可能である。変形例を以下に述べる。
【００５５】
（変形例１）上記実施形態では、ＯＳＤ処理部３３が表示する電源オフ操作禁止のメッセージ画面Ｇ１は、１０秒間表示するものとしたが、ユーザによって操作パネル２１あるいはリモコン２２に備わるいずれかのキーを操作されるまで、表示し続けるものとしてもよい。
【００５６】
（変形例２）上記実施形態では、報知部が有する音声出力装置としてブザー駆動部２６およびブザー２７を使用しているが、音声合成装置およびスピーカ（いずれも図示せず）等を備えて、音声合成した人間の声によって通知してもよい。例えば、電源キーによる電源オフ操作は禁止されていること、および電源をオフする場合は電源ケーブルを外すことを、人間の声によって報知することにより、ユーザは、電源オフ操作が禁止されていることを認識することができる。
【００５７】
（変形例３）上記実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【図面の簡単な説明】
【００５８】
【図１】実施形態に係るプロジェクタの概略構成を示すブロック図。
【図２】プロジェクタの商用電源供給時の処理のフローチャート。
【図３】プロジェクタの電源オフ操作処理のフローチャート。
【図４】電源オフ操作禁止のメッセージ画面の図。
【図５】プロジェクタの状態遷移図。
【符号の説明】
【００５９】
１…プロジェクタ、１０…画像投写部、１１…光源ランプ、１２…液晶ライトバルブ、１３…投写レンズ、１４…ライトバルブ駆動部、２０…制御部、２１…操作パネル、２２…リモコン、２３…操作信号受信部、２４…光源制御部、２５…モード設定部、２６…ブザー駆動部、２７…ブザー、２８…電源端子、２９…電源回路、３０…入力端子群、３０ａ…入力端子、３１…入力選択部、３２…画像処理部、３３…ＯＳＤ処理部。
【図１】
2010128254.tif 000003
【図２】
2010128254.tif 000004
【図３】
2010128254.tif 000005
【図４】
2010128254.tif 000006
【図５】
2010128254.tif 000007